(57)【特許請求の範囲】
【請求項１】
モバイルネットワーク上のパケット転送装置を介して携帯端末と接続されたサーバ装置であって、
前記携帯端末からの指示に応じてインターネット上のウェブサーバからダウンロードした画面情報または画像情報を圧縮してエンコードする圧縮エンコード部と、
前記圧縮エンコード部からの出力信号をパケットに格納するとともに前記パケット転送装置を介して前記携帯端末に送出するパケット送信部と、
前記圧縮エンコード部への入力信号、前記圧縮エンコード部からの出力信号をデコードした信号、前記パケットの送出タイミング、および、前記携帯端末による前記パケットの受信タイミングを参照して、映像品質を計測する映像品質計測部と、を備えている、サーバ装置。
【請求項２】
前記映像品質計測部は、前記圧縮エンコード部への入力信号と前記圧縮エンコード部からの出力信号をデコードした信号に基づいてＰＳＮＲ（Picture Signal to Noise Ratio）を算出するとともに、前記パケットの送出タイミングと前記携帯端末による前記パケットの受信タイミングに基づいて応答時間を算出し、算出したＰＳＮＲおよび応答時間から前記映像品質を求める、請求項１に記載のサーバ装置。
【請求項３】
前記映像品質計測部は、前記ＰＳＮＲおよび前記応答時間のそれぞれに重み付けをしつつ足し合わせることにより、前記映像品質を求める、請求項２に記載のサーバ装置。
【請求項４】
前記圧縮エンコード部への入力信号、前記圧縮エンコード部からの出力信号または前記圧縮エンコード部からの出力信号をデコードした信号、前記パケットの送出タイミング、および、前記携帯端末による前記パケットの受信タイミングを蓄積する蓄積部をさらに備えている、請求項１ないし３のいずれか１項に記載のサーバ装置。
【請求項５】
請求項１ないし４のいずれか１項に記載のサーバ装置から前記モバイルネットワークを介して前記パケットを受信し、前記パケットに格納された前記圧縮エンコード部からの出力信号をデコーダにより復号して画面を表示する再生部と、
前記パケットの受信タイミングを受信応答に格納して前記サーバ装置に送出する送出部と、を備えている、携帯端末。
【請求項６】
請求項１ないし４のいずれか１項に記載のサーバ装置と、
請求項５に記載の携帯端末と、を備えている、映像品質計測システム。
【請求項７】
前記モバイルネットワークは、モバイルパケットネットワーク、または、モバイルＬＴＥ／ＥＰＣネットワークである、請求項６に記載の映像品質計測システム。
【請求項８】
前記パケット転送装置は、ＳＧＳＮ／ＧＧＳＮ装置、または、Ｓ／Ｐ−ＧＷ装置である、請求項７に記載の映像品質計測システム。
【請求項９】
モバイルネットワーク上のパケット転送装置を介して携帯端末と接続されたサーバ装置が、該携帯端末からの指示に応じてインターネット上のウェブサーバからダウンロードした画面情報または画像情報を圧縮してエンコードする工程と、
前記圧縮エンコードによる出力信号をパケットに格納するとともに前記パケット転送装置を介して前記携帯端末に送出する工程と、
前記圧縮エンコードへの入力信号、前記圧縮エンコードによる出力信号をデコードした信号、前記パケットの送出タイミング、および、前記携帯端末による前記パケットの受信タイミングを参照して、映像品質を計測する工程と、を含む、映像品質計測方法。
【請求項１０】
前記圧縮エンコードへの入力信号と前記圧縮エンコードによる出力信号をデコードした信号に基づいてＰＳＮＲ（Picture Signal to Noise Ratio）を算出するとともに、前記パケットの送出タイミングと前記携帯端末による前記パケットの受信タイミングに基づいて応答時間を算出し、算出したＰＳＮＲおよび応答時間から前記映像品質を求める、請求項９に記載の映像品質計測方法。
【請求項１１】
前記ＰＳＮＲおよび前記応答時間のそれぞれに重み付けをしつつ足し合わせることにより、前記映像品質を求める、請求項１０に記載の映像品質計測方法。
【発明の詳細な説明】
【技術分野】
【０００１】
［関連出願についての記載］
本発明は、日本国特許出願：特願２０１０−１９２５８９号（２０１０年８月３０日出願）の優先権主張に基づくものであり、同出願の全記載内容は引用をもって本書に組み込み記載されているものとする。
本発明は、サーバ装置、映像品質計測システム、映像品質計測方法およびプログラムグラムに関し、特に、携帯端末がモバイルネットワーク上のパケット転送装置を介してサーバ装置と通信しながら動作する際に、携帯端末で表示される映像品質を計測するサーバ装置、リモート型の映像品質計測システム、映像品質計測方法およびプログラムに関する。
【背景技術】
【０００２】
ＬＴＥ（Ｌｏｎｇ  Ｔｅｒｍ  Ｅｖｏｌｕｔｉｏｎ）やＥＰＣ（Ｅｖｏｌｖｅｄ  Ｐａｃｋｅｔ  Ｃｏｒｅ）技術などの導入によるモバイルパケットネットワークの高速・大容量化の進展により、今後、ネットワークの高速・大容量性を活用した新しいサービスが創出されることが予想される。新しいサービスとして、例えば、３Ｄ高精細ゲーム、大規模データベース検索、画像認識／照合、高精細映像（静止画、動画など）、３Ｄ映像、高品質オーディオ、３Ｄオーディオなどが考えられる。また、データのセキュリティ確保などを目的として、今後、モバイルネットワークでシンクライアントサービスが普及することが予想される。【０００３】
特許文献１において、トラヒック制御を行なうトラヒック制御システムが記載されている。トラヒック制御システムは、中継サーバ（シンクライアントサーバ）とクライアント間の通信回線の通信品質を測定する手段と、配信サーバから中継サーバに配信される動画データの量が通信品質をもとに特定した配信量となるように制御する制御手段とを有する。ここで、通信品質を測定するために、画面データの応答時間、または、ｐｉｎｇ送信による応答時間を測定する。【０００４】
また、特許文献２において、携帯端末などの比較的低速な処理能力しか持たない端末装置とサーバ装置との間で、電話回線や無線通信などの比較的低速な伝送路を用いた場合であっても、実用的な品質と時間で表示を行なうデータ伝送システムが記載されている。データ伝送システムにおいて、サーバ装置は、データ内容の品質、データ形式を端末装置の処理能力に応じて、サーバ装置側で変換してから端末装置に伝送する。
【先行技術文献】
【特許文献】
【０００５】
【特許文献１】特開２００９−０６０４２５号公報
【特許文献２】特開平１１−００４２５２号公報
【発明の概要】
【発明が解決しようとする課題】
【０００６】
上記の特許文献の各開示を、本書に引用をもって繰り込むものとする。以下の分析は、本発明者によってなされたものである。【０００７】
モバイルパケットネットワークにおいてシンクライアントサービスを普及させるには、サーバ装置側で映像品質を計測し、モバイルパケットネットワークにおける最大伝送速度の制限や転送遅延の制約がシンクライアントサービスを実施していく上で、映像品質や応答時間の観点で問題ないか否かを判定する必要がある。【０００８】
特許文献１に記載された発明によると、サーバ装置は応答時間を計測するにすぎず、映像の客観品質の良否について判定することができない。また、特許文献２によると、サーバ装置は応答時間および映像品質を計測することがないため、映像の客観品質を評価することができない。ここで、客観品質とは、人間が実際に映像や音声を視聴したときの心理評価に基づく主観品質とは異なり、計量可能な物理量の測定に基づく映像や音声の品質をいう。【０００９】
そこで、携帯端末がモバイルネットワーク上のパケット転送装置を介してサーバ装置と通信しながら動作する際に、携帯端末で表示される映像の客観品質をサーバ装置側で計測できるようにすることが課題となる。本発明の目的は、かかる課題を解決するサーバ装置、映像品質計測システム、映像品質計測方法およびプログラムを提供することにある。
【課題を解決するための手段】
【００１０】
本発明の第１の視点に係るサーバ装置は、
モバイルネットワーク上のパケット転送装置を介して携帯端末と接続されたサーバ装置であって、
携帯端末からの指示に応じてインターネット上のウェブサーバからダウンロードした画面情報または画像情報を圧縮してエンコードする圧縮エンコード部と、
圧縮エンコード部からの出力信号をパケットに格納するとともにパケット転送装置を介して携帯端末に送出するパケット送信部と、
圧縮エンコード部への入力信号、圧縮エンコード部からの出力信号をデコードした信号、パケットの送出タイミング、および、携帯端末によるパケットの受信タイミングを参照して、映像品質を計測する映像品質計測部と、を備えている。【００１１】
本発明の第２の視点に係る映像品質計測方法は、
モバイルネットワーク上のパケット転送装置を介して携帯端末と接続されたサーバ装置が、携帯端末からの指示に応じてインターネット上のウェブサーバからダウンロードした画面情報または画像情報を圧縮してエンコードする工程と、
圧縮エンコードによる出力信号をパケットに格納するとともにパケット転送装置を介して携帯端末に送出する工程と、
圧縮エンコードへの入力信号、圧縮エンコードによる出力信号をデコードした信号、パケットの送出タイミング、および、携帯端末によるパケットの受信タイミングを参照して、映像品質を計測する工程と、を含む。【００１２】
本発明の第３の視点に係るプログラムは、
携帯端末からの指示に応じてインターネット上のウェブサーバからダウンロードした画面情報または画像情報を圧縮してエンコードする処理と、
前記圧縮エンコードによる出力信号をパケットに格納するとともにモバイルパケットネットワーク上のパケット転送装置を介して前記携帯端末に送出する処理と、
前記圧縮エンコードへの入力信号、前記圧縮エンコードによる出力信号をデコードした信号、前記パケットの送出タイミング、および、前記携帯端末による前記パケットの受信タイミングを参照して、映像品質を計測する処理と、前記パケット転送装置を介して前記携帯端末と接続されたコンピュータに実行させる。なお、プログラムは、非トランジエント（ｎｏｎ−ｔｒａｎｓｉｅｎｔ）なコンピュータ読み取り可能記録媒体に記録されていてもよい。
【発明の効果】
【００１３】
本発明に係るサーバ装置、映像品質計測システム、映像品質計測方法およびプログラムによると、携帯端末がモバイルネットワーク上のパケット転送装置を介してサーバ装置と通信しながら動作する際に、携帯端末で表示される映像の客観品質をサーバ装置側で計測することができる。
【図面の簡単な説明】
【００１４】
【図１】第１の実施形態に係るサーバ装置の構成を一例として示すブロック図である。
【図２】第２の実施形態に係る映像品質計測システムの接続構成を一例として示す図である。
【図３】第２の実施形態に係る映像品質計測システムにおけるサーバ装置の構成を一例として示すブロック図である。
【図４】第２の実施形態に係る映像品質計測システムのサーバ装置における仮想クライアント部の構成を一例として示すブロック図である。
【図５】第２の実施形態に係る映像品質計測システムのサーバ装置における映像品質計測部の構成を一例として示すブロック図である。
【図６】第３の実施形態に係る映像品質計測システムの接続構成を一例として示す図である。
【発明を実施するための形態】
【００１５】
第１の展開形態によると、上記第１の視点に係るサーバ装置が提供される。
【００１６】
第２の展開形態によると、映像品質計測部は、圧縮エンコード部への入力信号と圧縮エンコード部からの出力信号をデコードした信号に基づいてＰＳＮＲ（Ｐｉｃｔｕｒｅ  Ｓｉｇｎａｌ  ｔｏ  Ｎｏｉｓｅ  Ｒａｔｉｏ）を算出するとともに、パケットの送出タイミングと携帯端末によるパケットの受信タイミングに基づいて応答時間を算出し、算出したＰＳＮＲおよび応答時間から映像品質を求める、サーバ装置が提供される。
【００１７】
第３の展開形態によると、映像品質計測部は、ＰＳＮＲおよび応答時間のそれぞれに重み付けをしつつ足し合わせることにより映像品質を求める、サーバ装置が提供される。
【００１８】
第４の展開形態によると、圧縮エンコード部への入力信号、圧縮エンコード部からの出力信号または圧縮エンコード部からの出力信号をデコードした信号、パケットの送出タイミング、および、携帯端末によるパケットの受信タイミングを蓄積する蓄積部をさらに備えている、サーバ装置が提供される。
【００１９】
第５の展開形態によると、上記のサーバ装置からモバイルネットワークを介してパケットを受信し、パケットに格納された圧縮エンコード部からの出力信号をデコーダにより復号して画面を表示する再生部と、パケットの受信タイミングを受信応答に格納してサーバ装置に送出する送出部と、を備えている携帯端末が提供される。
【００２０】
第６の展開形態によると、上記のサーバ装置と、上記の携帯端末とを備えている映像品質計測システムが提供される。
【００２１】
第７の展開形態によると、モバイルネットワークは、モバイルパケットネットワーク、または、モバイルＬＴＥ／ＥＰＣネットワークである、映像品質計測システムが提供される。
【００２２】
第８の展開形態によると、パケット転送装置は、ｘＧＳＮ装置、または、Ｓ／Ｐ−ＧＷ装置である、映像品質計測システムが提供される。
【００２３】
第９の展開形態によると、上記第２の視点に係る映像品質計測方法が提供される。
【００２４】
本発明に係るサーバ装置、映像品質計測システムおよび映像品質計測方法によると、携帯端末がモバイルネットワーク上のパケット転送装置を介してサーバ装置と通信しながら動作する際に、携帯端末で表示される映像の客観品質をサーバ装置側で計測することができる。
【００２５】
（実施形態１）
図面を参照して、第１の実施形態に係るサーバ装置について詳細に説明する。
【００２６】
図１は、本実施形態のサーバ装置１０の構成を示すブロック図である。図１を参照すると、サーバ装置１０は、モバイルネットワーク上のパケット転送装置を介して携帯端末と接続されたサーバ装置であって、携帯端末からの指示に応じてインターネット上のウェブサーバからダウンロードした画面情報または画像情報を圧縮してエンコードする圧縮エンコード部８６と、圧縮エンコード部８６からの出力信号をパケットに格納するとともにパケット転送装置を介して携帯端末に送出するパケット送信部７６と、圧縮エンコード部８６への入力信号、圧縮エンコード部８６からの出力信号をデコードした信号、パケットの送出タイミング、および、携帯端末によるパケットの受信タイミングを参照して、映像品質を計測する映像品質計測部８２と、を備えている。
【００２７】
映像品質計測部８２は、圧縮エンコード部８６への入力信号と圧縮エンコード部８６からの出力信号をデコードした信号に基づいてＰＳＮＲ（Ｐｉｃｔｕｒｅ  Ｓｉｇｎａｌ  ｔｏ  Ｎｏｉｓｅ  Ｒａｔｉｏ）を算出するとともに、パケット送信部７６からのパケットの送出タイミングと携帯端末によるパケットの受信タイミングに基づいて応答時間を算出し、算出したＰＳＮＲおよび応答時間から映像品質を求めるようにしてもよい。ここで、映像品質計測部８２は、ＰＳＮＲおよび応答時間のそれぞれに重み付けをしつつ足し合わせることにより、映像品質を求めるようにしてもよい。
【００２８】
また、サーバ装置１０は、圧縮エンコード部８６への入力信号、圧縮エンコード部８６からの出力信号または圧縮エンコード部８６からの出力信号をデコードした信号、パケット送信部７６からのパケットの送出タイミング、および、携帯端末によるパケットの受信タイミングを蓄積する蓄積部をさらに有していてもよい。
【００２９】
また、携帯端末は、サーバ装置１０からモバイルネットワークを介して上記のパケットを受信し、パケットに格納された圧縮エンコード部８６からの出力信号をデコーダにより復号して画面を表示する再生部と、パケットの受信タイミングを受信応答に格納してサーバ装置１０に送出する送出部と、を有することが好ましい。さらに、本発明によると、サーバ装置１０と、かかる携帯端末とを含む映像品質計測システムが提供される。
【００３０】
本実施形態のサーバ装置１０、および、サーバ装置１０を備えた映像品質計測システムによると、携帯端末がモバイルネットワーク上のパケット転送装置を介してサーバ装置１０と通信しながら動作する際に、携帯端末で表示される映像の客観品質をサーバ装置１０側で計測することができる。
【００３１】
（実施形態２）
図２〜図５を参照して、第２の実施形態に係る映像品質計測システムについて詳細に説明する。
【００３２】
図２は、本実施形態に係る映像品質計測システムの接続構成を示す図である。図２では、モバイルネットワークとして３Ｇモバイルパケットネットワークを用い、パケット転送装置としてｘＧＳＮ装置を用いる場合の構成を示している。図２を参照すると、モバイルパケットネットワーク１５０上に、サーバ装置１１０、ｘＧＳＮ装置１９０、ＲＮＣ装置１９５、１９６、基地局１９３、１９４が設けられている。サーバ装置１１０は、インターネット上のウェブ（Ｗｅｂ）サーバ１００と接続されている。
【００３３】
ここで、ｘＧＳＮ装置とは、ＳＧＳＮ（Ｓｅｒｖｉｎｇ  ＧＰＲＳ  Ｓｕｐｐｏｒｔ  Ｎｏｄｅ）装置とＧＧＳＮ（Ｇａｔｅｗａｙ  ＧＰＲＳ  Ｓｕｐｐｏｒｔ  Ｎｏｄｅ）装置を一体化した装置をいう。なお、図２は、一例としてシンクライアントサービスの場合について示しているが、本発明は他のサービスにおいても適用することができる。
【００３４】
図２において、携帯端末１７０は、モバイルパケットネットワーク１５０上に配置されたサーバ装置１１０の第１の仮想クライアントに接続し、これを操作してインターネット上のウェブ（Ｗｅｂ）サーバ１００のコンテンツ（例えば動画コンテンツ）を閲覧するために、基地局１９３、ＲＮＣ（Ｒａｄｉｏ  Ｎｅｔｗｏｒｋ  Ｃｏｎｔｒｏｌｌｅｒ）装置１９５、ｘＧＳＮ装置１９０を経由して、サーバ装置１１０に対し指示信号を送出する。ここで、指示信号とは、携帯端末１７０でのキー操作や特殊文字入力などにより携帯端末１７０から送出される信号をいう。
【００３５】
携帯端末１７０から送出された指示信号は、モバイルパケットネットワーク１５０上にある、基地局１９３、ＲＮＣ装置１９５、ｘＧＳＮ装置１９０、サーバ装置１１０の順に到達する。このようにして、サーバ装置１１０は、携帯端末１７０からの指示信号を受信する。
【００３６】
指示信号のプロトコルとして、公知のものを採用することができる。ここでは、指示信号のプロトコルとして、一例として、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）、および、その上位層としてＨＴＴＰを用いるものとする。なお、ＨＴＴＰ（Ｈｙｐｅｒｔｅｘｔ  Ｔｒａｎｓｍｉｓｓｉｏｎ  Ｐｒｏｔｏｃｏｌ）以外にＳＩＰ（Ｓｅｓｓｉｏｎ  Ｉｎｉｔｉａｔｉｏｎ  Ｐｒｏｔｏｃｏｌ）などを用いることもできる。
【００３７】
サーバ装置１１０には、モニタ装置（非図示）が接続されている。モニタ装置は、携帯端末で受信する映像品質の計測結果や携帯端末で映像を受信するまでの応答時間などを表示する。
【００３８】
図３は、サーバ装置１１０の構成を示すブロック図である。図３を参照すると、サーバ装置１１０は、Ｎ個の仮想クライアント部２１１＿１〜２１１＿Ｎ、デコード部１８３、蓄積部１８５、および、映像品質計測部１８２を有する。
【００３９】
Ｎ台の携帯端末の各々に対し仮想クライアント機能を提供するために、サーバ装置１１０は、Ｎ個の仮想クライアント部２１１＿１〜２１１＿Ｎを有している。ここで、例えば、Ｎ≧２である。以下では、携帯端末１７０が第１の仮想クライアント部２１１＿１に接続する場合について説明する。すなわち、第１の仮想クライアント部２１１＿１は、第１の携帯端末１７０と接続し、第Ｎの仮想クライアント部２１１＿Ｎは、他の携帯端末と接続するものとする。
【００４０】
図３において、仮想クライアント部２１１＿１は、ｘＧＳＮ装置１９０との間で、携帯端末１７０からの指示信号などの制御信号（図３の破線）をやりとりするとともに、携帯端末１７０へ画面圧縮符号信号やオーディオ圧縮符号信号などのデータ信号（図３の実線）を出力する。
【００４１】
図４は、第１の仮想クライアント部２１１＿１の構成を示すブロック図である。なお、仮想クライアント部２１１＿２〜２１１＿Ｎの構成は、仮想クライアント部２１１＿１の構成と同一であるため、これらの構成の説明を省略する。
【００４２】
図４を参照すると、仮想クライアント部２１１＿１は、制御信号送受信部１７３、画像デコード部１８０、画面キャプチャ部１８１、圧縮エンコード部１８６、パケット送信部１７６、および、パケット受信部１７７を有する。
【００４３】
制御信号送受信部１７３は、ｘＧＳＮ装置１９０を経由して携帯端末１７０からの指示信号を受信する。ここで、指示信号は、一例として、インターネット上のウェブサーバ１００で動画コンテンツサイトを閲覧するためのアプリを起動するための指示信号とする。
【００４４】
制御信号送受信部１７３は、指示信号を受信すると、指示信号に格納された接続先のＵＲＬまたはＩＰアドレスを有するインターネット上のウェブサーバ１００に対して接続する。制御信号送受信部１７３は、ウェブサーバ１００から動画コンテンツファイルをダウンロードし、ファイルから画像データを抽出して画像デコード部１８０に出力する。
【００４５】
画像デコード部１８０は、画像データを復号し、復号した画像信号を画面キャプチャ部１８１および図３の蓄積部１８５に出力する。
【００４６】
画面キャプチャ部１８１は、あらかじめ定められた画面解像度で画面の全部または一部をキャプチャし、圧縮エンコード部１８６に出力する。
【００４７】
圧縮エンコード部１８６は、画面キャプチャ部１８１からの出力画像データに対し、あらかじめ定められた圧縮符号化方式により圧縮符号化し、圧縮符号をパケット送信部１７６に出力する。
【００４８】
パケット送信部１７６は、圧縮エンコード部１８６の出力である圧縮符号を入力し、パケットのペイロード部に格納し、パケットをｘＧＳＮ装置１９０に送出する。ここでは、一例として、ＲＴＰ／ＵＤＰ（Ｒｅａｌ−ｔｉｍｅ  Ｔｒａｎｓｐｏｒｔ  Ｐｒｏｔｏｃｏｌ／Ｕｓｅｒ  Ｄａｔａｇｒａｍ  Ｐｒｏｔｏｃｏｌ）によるプロトコルでパケットを送出するものとする。なお、他のプロトコルを用いることもできる。パケット送信部１７６は、ＲＴＰ／ＵＤＰによりパケットを送出する際に、各ＲＴＰパケットに対しＲＴＰタイムスタンプおよびシーケンス番号（ＳＮ：Ｓｅｑｕｅｎｃｅ  Ｎｕｍｂｅｒ）を付与した上で送出する。パケット送信部１７６は、各パケットのタイムスタンプ値およびシーケンス番号を、蓄積部１８５に出力する。
【００４９】
蓄積部１８５は、各仮想クライアントのセッション毎に、タイムスタンプ値およびシーケンス番号を蓄積する。
【００５０】
パケット受信部１７７は、パケット送信部１７６から送出した各パケットに対する応答パケットを、携帯端末１７０からｘＧＳＮ装置１９０を介して受信する。パケット受信部１７７は、応答パケットに格納された、対応する送信パケットのシーケンス番号および携帯端末１７０で受信された受信時刻情報を読み出し、セッション毎に蓄積部１８５に出力し、蓄積部１８５は、セッション毎にシーケンス番号および受信時刻情報を蓄積する。
【００５１】
次に、図３を参照して、画像品質計測に関する機能ブロックについて説明する。デコード部１８３は、図４の圧縮エンコード部１８６の出力信号を入力し、同一のコーデックのデコーダを用いて圧縮エンコード部１８６の出力信号を復号し、蓄積部１８５に出力する。
【００５２】
蓄積部１８５は、各仮想クライアントに対し、セッション毎に、圧縮エンコード部１８６の入力信号、デコード部１８３の出力信号、パケット送信部１７６からのパケット送信時のタイムスタンプおよびシーケンス番号、パケット受信部１７７からの携帯端末におけるパケット受信時のタイムスタンプおよびシーケンス番号を蓄積する。
【００５３】
図５は、映像品質計測部１８２の構成を示すブロック図である。図５を参照すると、映像品質計測部１８２は、応答時間算出部２００、画像品質算出部２０１、および、映像品質算出部２０２を有する。
【００５４】
映像品質計測部１８２は、蓄積部１８５に蓄積された情報を用いて、画像品質と遅延品質を計算する。映像品質計測部１８２は、映像品質計測が必要な仮想クライアントに対し、セッションを指定し蓄積されている情報を蓄積部１８５から読み出し、映像品質指標を計算する。
【００５５】
画像品質算出部２０１は、画像デコード部１８０の出力信号と圧縮エンコード部１８６の出力信号との間でＰＳＮＲ（Ｐｉｃｔｕｒｅ  Ｓｉｇｎａｌ  ｔｏ  Ｎｏｉｓｅ  Ｒａｔｉｏ）を計算し、映像品質算出部２０２に出力する。
【００５６】
応答時間算出部２００は、蓄積部１８５に蓄積された、パケット送信部１７６からの送信パケットのシーケンス番号とパケット受信部１７７からの応答パケットのシーケンス番号から、パケット送信部１７６からの送信タイムスタンプ（送信時刻）とパケット受信部１７７からの受信タイムスタンプ（受信時刻）を紐付けさせ、次式（１）により応答時間τを算出する。
【００５７】
応答時間τ＝受信時刻−送信時刻          （１）
【００５８】
応答時間算出部２００は、算出した応答時間τを映像品質算出部２０２に出力する。
【００５９】
映像品質算出部２０２は、画像品質算出部２０１から入力したＰＳＮＲと、応答時間算出部２００から入力した応答時間τを用いて、次式に従って、総合的な映像品質指標を算出して出力する。
【００６０】
総合的な映像品質指標＝α１＊ＰＳＮＲ＋α２＊τ          （２）
【００６１】
式（２）におけるα１、α２は、それぞれ重み係数であり、適切な値に設定する。
【００６２】
なお、サーバ装置１１０は、ウェブサーバ１００の代わりに、コンテンツ配信サーバに接続し、視聴したいコンテンツのファイルまたはストリームをコンテンツ配信サーバから読み出すようにしてもよい。
【００６３】
本実施形態によれば、サーバ装置１１０は、シンクライアントサービスを実施しつつ映像品質を計測する。したがって、サーバ装置１１０は、モバイルパケットネットワーク１５０での最大伝送速度の制限や転送遅延の制約がシンクライアントサービスを実施していく上で、映像品質や応答時間の観点で問題ないか否かを判定することができる。
【００６４】
（実施形態３）
第３の実施形態に係る映像品質計測システムについて図面を参照して説明する。図６は、本実施形態の映像品質計測システムの接続構成を示す図である。図６と図２との間で同一の番号が付された構成要素は同一の動作を行なうことから、これらの動作に関する説明を省略する。
【００６５】
図６と図２とは、図６の携帯端末６７０は、モバイルＬＴＥ／ＥＰＣネットワーク３５０を介し、ｅ−ＮｏｄｅＢ（ｅｎｈａｎｃｅｄ−ＮｏｄｅＢ）装置３０５、３０６およびＳ／Ｐ−ＧＷ装置３０４を経由してサーバ装置１１０に接続する点で相違する。図６の構成によると、図２のモバイルパケットネットワーク１５０の場合と比較して、はるかに高速なパケット転送が可能となる。
【００６６】
ｅ−ＮｏｄｅＢ装置３０５、３０６は、ＬＴＥ技術を用いて、携帯端末６７０との間の無線区間で、従来よりもはるかに高速なパケット伝送を実現する。また、Ｓ／Ｐ−ＧＷ装置３０４とサーバ装置１１０との間はＩＰプロトコルで接続される。したがって、Ｓ／Ｐ−ＧＷ装置３０４との接続においても、第１の実施形態におけるサーバ装置１１０（図２）をそのまま使用することができる。
【００６７】
Ｓ／Ｐ−ＧＷ装置３０４は、サーバ装置１１０からＴＣＰ／ＩＰまたはＵＤＰ／ＩＰプロトコルによるパケットや、それらのプロトコルの上を転送されるファイルを受信し、ＧＴＰ−Ｕ（ＧＰＲＳ  Ｔｕｎｎｅｌｉｎｇ  Ｐｒｏｔｏｃｏｌ−Ｕｓｅｒ  Ｐｌａｎｅ）／ＴＣＰ／ＩＰまたはＧＴＰ−Ｕ／ＵＤＰ／ＩＰプロトコルに変換した上で、圧縮符号化ビットストリームまたはファイルを、ｅ−ＮｏｄｅＢ装置３０５、３０６に出力する。
【００６８】
ｅ−ＮｏｄｅＢ装置３０５、３０６は、受信した圧縮符号化ビットストリームまたはファイルを、ＰＤＣＰ／ＲＬＣプロトコルに変換し、変換後のパケットまたはファイルを携帯端末６７０に送出する。
【００６９】
なお、第２の実施形態の構成および第３の実施形態の構成のそれぞれを採用する代わりにこれらを組み合わせた構成を採用することもできる。また、第２の実施形態におけるｘＧＳＮ装置１９０は、ＳＧＳＮ装置とＧＧＳＮ装置とに分けて配置してもよい。
【００７０】
また、上述の第２の実施の形態および第３の実施形態において、携帯端末からサーバへの指示信号には、ＳＩＰ（Ｓｅｓｓｉｏｎ  Ｉｎｉｔｉａｔｉｏｎ  Ｐｒｏｔｏｃｏｌ）、ＳＤＰ（Ｓｅｓｓｉｏｎ  Ｄｅｓｃｒｉｐｔｉｏｎ  Ｐｒｏｔｏｃｏｌ）などを用いることもできる。
【００７１】
本発明の全開示（請求の範囲を含む）の枠内において、さらにその基本的技術思想に基づいて、実施形態の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【００７２】
上記実施形態の一部または全部は、以下の付記として記載することができるものであるが、これらに限定されるものではない。
【００７３】
（付記１）モバイルネットワーク上のパケット転送装置を介して携帯端末と接続されたサーバ装置であって、
前記携帯端末からの指示に応じてインターネット上のウェブサーバからダウンロードした画面情報または画像情報を圧縮してエンコードする圧縮エンコード部と、
前記圧縮エンコード部からの出力信号をパケットに格納するとともに前記パケット転送装置を介して前記携帯端末に送出するパケット送信部と、
前記圧縮エンコード部への入力信号、前記圧縮エンコード部からの出力信号をデコードした信号、前記パケットの送出タイミング、および、前記携帯端末による前記パケットの受信タイミングを参照して、映像品質を計測する映像品質計測部と、を備えていることを特徴とするサーバ装置。
【００７４】
（付記２）前記映像品質計測部は、前記圧縮エンコード部への入力信号と前記圧縮エンコード部からの出力信号をデコードした信号に基づいてＰＳＮＲ（Ｐｉｃｔｕｒｅ  Ｓｉｇｎａｌ  ｔｏ  Ｎｏｉｓｅ  Ｒａｔｉｏ）を算出するとともに、前記パケットの送出タイミングと前記携帯端末による前記パケットの受信タイミングに基づいて応答時間を算出し、算出したＰＳＮＲおよび応答時間から前記映像品質を求めることを特徴とする、付記１に記載のサーバ装置。
【００７５】
（付記３）前記映像品質計測部は、前記ＰＳＮＲおよび前記応答時間のそれぞれに重み付けをしつつ足し合わせることにより、前記映像品質を求めることを特徴とする、付記２に記載のサーバ装置。
【００７６】
（付記４）前記圧縮エンコード部への入力信号、前記圧縮エンコード部からの出力信号または前記圧縮エンコード部からの出力信号をデコードした信号、前記パケットの送出タイミング、および、前記携帯端末による前記パケットの受信タイミングを蓄積する蓄積部をさらに備えていることを特徴とする、付記１ないし３のいずれか一に記載のサーバ装置。
【００７７】
（付記５）付記１ないし４のいずれか一に記載のサーバ装置から前記モバイルネットワークを介して前記パケットを受信し、前記パケットに格納された前記圧縮エンコード部からの出力信号をデコーダにより復号して画面を表示する再生部と、
前記パケットの受信タイミングを受信応答に格納して前記サーバ装置に送出する送出部と、を備えていることを特徴とする携帯端末。
【００７８】
（付記６）付記１ないし４のいずれか一に記載のサーバ装置と、
付記５に記載の携帯端末と、を備えていることを特徴とする映像品質計測システム。
【００７９】
（付記７）前記モバイルネットワークは、モバイルパケットネットワーク、または、モバイルＬＴＥ／ＥＰＣネットワークであることを特徴とする、付記６に記載の映像品質計測システム。
【００８０】
（付記８）前記パケット転送装置は、ｘＧＳＮ装置、または、Ｓ／Ｐ−ＧＷ装置であることを特徴とする、付記７に記載の映像品質計測システム。
【００８１】
（付記９）モバイルネットワーク上のパケット転送装置を介して携帯端末と接続されたサーバ装置が、該携帯端末からの指示に応じてインターネット上のウェブサーバからダウンロードした画面情報または画像情報を圧縮してエンコードする工程と、
前記圧縮エンコードによる出力信号をパケットに格納するとともに前記パケット転送装置を介して前記携帯端末に送出する工程と、
前記圧縮エンコードへの入力信号、前記圧縮エンコードによる出力信号をデコードした信号、前記パケットの送出タイミング、および、前記携帯端末による前記パケットの受信タイミングを参照して、映像品質を計測する工程と、を含むことを特徴とする映像品質計測方法。
【００８２】
（付記１０）前記圧縮エンコード工程において、前記圧縮エンコードへの入力信号と前記圧縮エンコードによる出力信号をデコードした信号に基づいてＰＳＮＲ（Ｐｉｃｔｕｒｅ  Ｓｉｇｎａｌ  ｔｏ  Ｎｏｉｓｅ  Ｒａｔｉｏ）を算出するとともに、前記パケットの送出タイミングと前記携帯端末による前記パケットの受信タイミングに基づいて応答時間を算出し、算出したＰＳＮＲおよび応答時間から前記映像品質を求めることを特徴とする、付記９に記載の映像品質計測方法。
【００８３】
（付記１１）携帯端末からの指示に応じてインターネット上のウェブサーバからダウンロードした画面情報または画像情報を圧縮してエンコードする処理と、
前記圧縮エンコードによる出力信号をパケットに格納するとともにモバイルパケットネットワーク上のパケット転送装置を介して前記携帯端末に送出する処理と、
前記圧縮エンコードへの入力信号、前記圧縮エンコードによる出力信号をデコードした信号、前記パケットの送出タイミング、および、前記携帯端末による前記パケットの受信タイミングを参照して、映像品質を計測する処理と、前記パケット転送装置を介して前記携帯端末と接続されたコンピュータに実行させることを特徴とするプログラム。
【００８４】
（付記１２）前記圧縮エンコード処理において、前記圧縮エンコードへの入力信号と前記圧縮エンコードによる出力信号をデコードした信号に基づいてＰＳＮＲ（Ｐｉｃｔｕｒｅ  Ｓｉｇｎａｌ  ｔｏ  Ｎｏｉｓｅ  Ｒａｔｉｏ）を算出するとともに、前記パケットの送出タイミングと前記携帯端末による前記パケットの受信タイミングに基づいて応答時間を算出し、算出したＰＳＮＲおよび応答時間から前記映像品質を求める処理を、前記コンピュータに実行させることを特徴とする、付記１１に記載のプログラム。
【符号の説明】
【００８５】
１０、１１０    サーバ装置
７６、１７６    パケット送信部
８２、１８２    映像品質計測部
８６、１８６    圧縮エンコード部
１００    ウェブサーバ
１５０    モバイルパケットネットワーク
１７０、６７０    携帯端末
１７３    制御信号送受信部
１７７    パケット受信部
１８０    画像デコード部
１８１    画面キャプチャ部
１８３    デコード部
１８５    蓄積部
１９０    ｘＧＳＮ装置
１９３、１９４    基地局
１９５、１９６    ＲＮＣ装置
２００    応答時間算出部
２０１    画像品質算出部
２０２    映像品質算出部
２１１＿１〜２１１＿Ｎ    仮想クライアント部
３０４    Ｓ／Ｐ−ＧＷ装置
３０５、３０６    ｅ−ＮｏｄｅＢ装置
３５０    モバイルＬＴＥ／ＥＰＣネットワーク
【図１】
0005505507.tif 000002
【図２】
0005505507.tif 000003
【図３】
0005505507.tif 000004
【図４】
0005505507.tif 000005
【図５】
0005505507.tif 000006
【図６】
0005505507.tif 000007